(57)【要約】【課題】縦型の浄活水器の組立て構造において、一人による簡単で効率的な濾材の交換、メンテナンスを可能にする。【解決手段】上蓋、分割型円筒胴及び下蓋からなる縦型胴体と、上蓋に搭載され、浄水・逆洗切替機能を備える弁本体、電動機及び操作・表示盤を包含する制御弁装置、上下各蓋の配水管と送排水管を備え、上蓋、分割型円筒胴及び下蓋の周囲を締付けバンドにより締付け分解可能に取付け、且つ上下各蓋の支持腕と締付けねじ棒を配設し、締付けねじ棒の螺合調整に上下蓋の間に、分割型円筒胴を取り外し自在に締付け挟持可能とした。【選択図】図１
2004306002.tif 000002
【特許請求の範囲】
【請求項１】
上蓋、内部に取り外し自在に濾材を内蔵する分割型円筒胴及び下蓋からなる縦型胴体と、上蓋に搭載され、複数の配管口、ノブ操作の浄水・逆洗切替弁、電動弁とを備えた弁本体、該電動弁作動用の電動機及び操作・表示盤を包含する制御弁装置及び上蓋に配設された配水管と、下蓋に配設された配水管と、上蓋と下蓋に各配設された配水管に接続され、胴体の外面軸方向に沿って配設した連通管とを備え、上蓋、分割型円筒胴及び下蓋の周囲を締付けバンドにより締付け分解可能に取付け、且つ上蓋に取付けた複数の上部支持腕と下蓋に取付けた複数の下部支持腕との間に締付けねじ棒を配設し、締付けねじ棒によって上下蓋を保持しつつ、上下蓋間の間隔を調節可能とし、締付けねじ棒の調節によって間隔の調整された上下蓋の間に、締付けバンドで重畳組み立てられた分割型円筒胴を締付け挟持又は取り外し自在としたことを特徴とする縦型浄活水器。
【発明の詳細な説明】
【０００１】
【発明の属する技術分野】
この出願の発明は縦型の浄活水器に係り、さらに詳細には、浄水器におけるメンテナンスや、濾材の交換を一人で簡単にできる縦型の浄活水器に係るものである。
【０００２】
【従来の技術とその解決課題】
従来の縦型の浄活水器は、組立て分解作業において、上蓋と円筒型筒との連結箇所は１４ないし１８本のねじ止め構造であるため、ねじ取り外し分解作業に多大の時間・労力を必要とし、また、給配水管が、配設のカートリッジの中心を通してあるため、給配水管からカートリッジを抜き出さなければならず、したがって、カートリッジの交換作業も煩雑で大変であった。このように、従来の縦型の浄活水器は、１、２年で実施される濾材の交換が２人掛かりで２〜４時間の作業時間を必要とするため、メンテナンスに多大の時間と労力を必要とする構造であった。
【０００３】
上記の事情に鑑みて、この出願の発明は、一人でも簡単に濾材の交換ができ、メンテナンスも簡単に実施することのできる縦型浄活水器を提供することを目的とする発明である。この出願の発明によれば、濾材交換のために必要な縦型浄活水器を分解作業において、多数のねじを全部取り外す必要がなく、数本のねじ棒による締付け解除と、締付けバンドの取り外しで済み、また、カートリッジの取り外しも、単に取り外された円筒型筒（２）から抜き取る作業のみで簡単に済み、１回の交換で、一人が要する時間が２０分から３０分くらいで済ませることができるので、これによって、一人で簡単に濾材の交換ができ、浄活水器の保守管理、濾材の交換等のメンテナンスも簡単な縦型の浄活水器を提供することができる。
【０００４】
【課題を解決するための手段】
この出願の発明は、上記の課題を解決するために、上蓋、内部に取り外し自在に濾材を内蔵する分割型円筒胴及び下蓋からなる縦型胴体と、上蓋に搭載され、複数の配管口、ノブ操作の浄水・逆洗切替弁、電動弁とを備えた弁本体、該電動弁作動用の電動機及び操作・表示盤を包含する制御弁装置及び上蓋に配設された配水管と、下蓋に配設された配水管と、上蓋と下蓋に各配設された配水管に接続され、胴体の外面軸方向に沿って配設した連通管とを備え、上蓋、分割型円筒胴及び下蓋の周囲を締付けバンドにより締付け分解可能に取付け、且つ上蓋に取付けた複数の上部支持腕と下蓋に取付けた複数の下部支持腕との間に締付けねじ棒を配設し、締付けねじ棒によって上下蓋を保持しつつ、上下蓋間の間隔を調節可能とし、締付けねじ棒の調節によって間隔の調整された上下蓋の間に、締付けバンドで重畳組み立てられた分割型円筒胴を締付け挟持又は取り外し自在としたことを特徴とする縦型浄活水器を提供する。
【０００５】
以下、この出願の発明を，さらに詳細に説明する。
【発明の実施の形態】
この出願の発明の縦型型浄活水器によれば、縦型胴は２分割に限らず、それ以上の複数分割型とすることもできる。また、円筒胴を挟持するねじ棒は、３本に限らずそれ以上に複数本備えた構造とすることができる。さらに、支持脚についても３本以上複数本備えることができる。
【０００６】
分割型円筒胴の取り出しに際しては、３本ねじ棒を備える場合には、３本ねじ棒を緩めて、分割型円筒胴を締付けバンドを取り外し、分離可能としたとき、隣り合う２本のねじ棒の間隔が、円筒胴の外径より広く採ることができる設計であれば、この状態で、円筒胴のみを取り出すことができる。隣り合う２本のねじ棒の間隔が、円筒胴の外径より狭い設計であれば、１本のねじ棒を横張り出しアームから取り出した状態にした上で、円筒胴のみを取り出すことができる。また、４本のねじ棒を備える場合には、分割型円筒胴を締付けバンドの解除により分離可能としたのち、少なくとも１本のねじ棒を横張り出しアームから抜き出して置くことで実行できる。
【０００７】
上記において、１本のねじ棒の横張り出しアームから抜き出を容易にするため、横張り出しアームのねじ棒挿通孔を切り欠いて外側に開放した切欠き孔を備えることによって、ねじ棒を横張り出しアームに対してねじ棒の側方から差込み、抜き取りし簡単に装着することができる。
【０００８】
据付けに当たって、下蓋の周縁には複数の傾斜したＬ字状の支持脚を備えることもできる。Ｌ字状支持脚のねじ孔について、ねじ孔の一部を切欠いて側方からねじ棒を差し込むことを可能とすることもできる。
胴の形状について、図示の実施例では円筒状であるが、他の形状、例えば楕円形、多角形とすることもできる。
【０００９】
支持脚の縦型円筒胴体に対する周方向の配置は、同じ縦型円筒胴体に対する横張り出しアームの周方向の配置と重なることのないようにし、取り付け・分解する際のねじ固着具による据付け作業に障害を与えないように考慮される。
胴部本体は積み木状に重畳され、重畳される各部品はバンド締め付けによる個別分解可能な構造を有し、且つ円筒状胴部は上下の蓋の間に、ボルト・ナット又は摘み付長ねじによるクランプ機構によって締め付け可能とされる。
【００１０】
浄水器の付属品としての、切替弁装置、配水管、ドレーン弁は、上下各蓋体の上下各表面、胴部本体側面の軸線上に、それぞれ配備される。そして、切替弁装置の供給口、排出口側は、前記前記給排水管と同じ側に配置され、水回りの配管、弁操作の集中できる構造となっている。
また、ボルト・ナット又は摘み付長ねじの作動によるクランプ機構は、円筒状胴部の周囲に配置され、また、配管類は、円筒状胴体の外周面の周囲に軸方向に配置されているので、コンパクトにまとめられる。
胴部本体の上部に配備の電動機、切替弁装置、胴体本体の下部に配備のドレーン弁が略軸線状の配列と、前記円筒状胴体側面の同心円状に配置のねじ棒の配置によって、竪型浄活水器は、全体としてもコンパクトにまとめられる。
【００１１】
【実施例】
以下、この出願の発明を，図面を用いて説明する。
本願発明の縦型浄活水器は、図１，２に示すように、縦型胴体（Ｄ）が上蓋（３）、２分割された上部円筒胴（１）、下部円筒胴（２）及び下蓋（４）から構成される。円筒胴は２分割のものとして示されるが２以上の複数の胴からなる組み立てとすることもできる。
【００１２】
上蓋（３）と上部円筒胴（１）、上部円筒胴（１）と下部円筒胴（２）、下部円筒胴（２）と下蓋（４）の各接合端面には外フランジ（５）が形成され、当接する各外フランジ（５）の外周に締付けバンド（６）を装着して締付け部（６ａ）で締付け、上蓋（３）、上部円筒胴（１）、下部円筒胴（２）及び下蓋（４）をそれぞれ組み立て固定する。
上蓋（３）と下蓋（４）の表面にはそれぞれ半径方向水平に延びる複数の上部支持腕（７）、複数の下部支持腕（８）を備える。各上部支持腕（７）及び下部支持腕（８）にはねじ通し孔（９）（１０）又は切欠き孔（９ａ）（１０ａ）が形成され、ねじ通し孔（９）（１０）又は切欠き孔（９ａ）（１０ａ）を通じてねじ棒（１１）を装着し、装着されたねじ棒（１１）の締付けによって、上蓋（３）と下蓋（４）の間の間隔を調整することができる。
【００１３】
組み立てに当たって、例えば、最初、ねじ棒（１１）に間隔を置いて保持された上蓋（３）下蓋（４）の間に、締付けバンド（６）で予め重畳組み立てられた分割型円筒胴を配置し、次いで締付けねじ棒（１１）をねじ込むことによって上蓋（３）下蓋（４）間を縮小し、これによって重畳組み立ての分割型円筒胴が締め付けられ上蓋（３）下蓋（４）に挟持された状態で組み立てられる。締付けバンド（６）による円筒胴体（Ｄ）の組み立ては、上記した予めの組み立てに代えて、分割型円筒胴を重ねて配置した状態で締付けねじ棒（１１）をねじ込み、全体を挟着固定した後に、締付けバンド（６）により円筒胴等を締め付け固定することもできる。
【００１４】
円筒胴の分解に当たっては、締付けねじ棒（１１）をねじ戻して、上蓋（３）と下蓋（４）の間の間隔を広げ、その作業に前後して上蓋（３）と下蓋（４）に関連する締付けバンド（６）を取り外すことによって、カートリッジを内蔵したままの分割型円筒胴を取り外すことができる。その後、分割型円筒胴からさらに残りの締付けバンド（６）を取り外すことによって、分離された上部円筒胴（１）、下部円筒胴（２）からそれぞれ個別に内設されていたカートリッジを取外し、各修理や新しいカートリッジの交換を実行することができる。
【００１５】
修理、交換のための分解後における組み立てに際しては、前述の分解作業を逆に行えばよく、締付けバンド（６）で重畳組み立てた２分割の上部円筒胴（１）下部円筒胴（２）を、締付けねじ棒（１１）の作動によって所定間隔に保持された上蓋（３）と下蓋（４）の間に配置し、その後、締付けねじ棒（１１）をねじ込むことによって上下蓋の間に、締付けバンド（６）で重畳組み立てられた分割型円筒胴は挟着状態に締付けられ、一体化された縦型胴体（Ｄ）が組立てられる。
【００１６】
浄活水器における浄水作用又は逆流による洗浄作用は、図１，２及び３に示される制御弁装置（Ｖ）により実行される。
制御弁装置（Ｖ）は上蓋（３）の上部表面に搭載設置される。上蓋（３）の上部表面に配水管（１２）を備える。制御弁装置（Ｖ）は、弁本体（１５）とその駆動手段としての電動機（１６）を備え、さらに補助手段としての操作・表示盤（１７）を備えている。
【００１７】
一方、下蓋（４）にも配水管（１８）が接続されており、前記した上蓋（３）に配設した配水管（１２）との間で連通管（１９）が円筒胴体（Ｄ）の外周軸方向に接続されている。
ここで、弁本体（１５）は、洗浄・逆洗操作を実行するための手段で、操作ノブ（１３）、操作ノブ（２３）、配水口（１４）、開口（２４）（２５）等を備え、操作ノブ（１３）（２３）の切替操作によって配水口（１４ａ）（１４ｂ）と開口（２４）（２５）の連通を切替え、洗浄操作用又は逆洗ができるように構成されている。
下蓋（４）の下面には設置されたドレーン弁（２０）により、円筒胴体（Ｄ）内に蓄積されたドレーンを排出することができる。
【００１８】
下蓋（４）の周縁には複数の傾斜したＬ字状の支持脚（２１）が備えられている。支持脚（２１）を設置箇所にビス等により固定することで分割元栓型浄活水器は適宜箇所に設置することができる。
なお、胴体（Ｄ）内には任意数の棚（図示省略）が設置され、この棚上にメッシュ網又はパンチング（２２）が載置され、その上に所定の種類の濾剤又は濾材を収容したカートリッジが積み重ね収容される。
【００１９】
【作用】
図３（ａ）に示すように、切換え弁本体（１５）の操作ノブ（１３ａ）（１３ｂ）（２３）を操作することにより、配水口（１４）の流路を切替え、濾材を内蔵する胴体（Ｄ）内の流れを、上から下へ、或いは下から上へ流れるようにし、これによって、活性化水を供給するか、逆洗処理を実行するか選択することができる。
【００２０】
胴体（Ｄ）内に内蔵する濾材に逆流を与えて濾材を清浄するときは、操作ノブ（１３ａ）を操作して配水口（１４ａ）と上蓋（３）内とを連通し、他方操作ノブ（１３ｂ）を操作して配水口（１４ｂ）と配水管（１２）と遮断し、排水弁（２３）を開放する。水道水は配水口（１４ａ）から上蓋（３）内を通り、濾材を内蔵する胴体（Ｄ）内を上から下へ流れて胴体（Ｄ）内の濾材に付着した付着物は流れに補足され、配水管（１８）、給配水管（１９）、配水管（１２）及び排水弁（２３）を通じて外部に排出し、逆流によって濾材を洗浄することができる。
また、逆洗処理を終了して、再度活性化水の供給を開始する場合には、排水弁（２３）を閉鎖すると共に、操作ノブ（１３ｂ）を操作して開放すれば、配水口（１４ｂ）と配水管（１２）とが連通され、活性化水が供給される。
【００２１】
長期間の使用において、下蓋（４）の底部にドレーンが蓄積される。この蓄積されたドレーンは排除するためには、必要に応じて下蓋（４）の底に設置されたドレーン弁（２０）を開放すればよい。ドレーン弁（２０）の開放により、このドレーン弁（２０）の出口を通じて系外に排出することができる。
【００２２】
下蓋（４）をその支持脚（２１）を介して設置箇所に取り付け固定する。下蓋（４）の上に、適宜数の下部円筒胴（２）、上部円筒胴（１）を積み重ね、各接合個所のフランジ部外周を締付けバンドにより締め付け固定し、さらに上蓋（３）を積み重ねてフランジ部分を締付けバンドにより接続固定し胴体（Ｄ）を組立てる。その後、上蓋（３）の上部に制御弁装置（Ｖ）をねじ等により接続する。
接続した際には出口（２５）は配水管（１２）に連結される。制御弁装置（Ｖ）は胴体（Ｄ）の組立後上蓋（３）に設置されるものであるが、胴体（Ｄ）の組立の際に、予め上蓋（３）と一体に組立たものとすることもできる。
【００２３】
次いで、上蓋（３）および下蓋（４）の支持腕（７）（８）にねじ棒（１１）を軸方向に挿入し又は横方向から差し込んだりして取り付ける。ねじ棒（１１）の下端は支持腕（８）に固設され、ねじ棒（１１）の上端は上部支持腕（７）を介して上蓋（３）を所定の間隔に保持可能にすると共に、ねじ棒（１１）の上端の螺合されたナット（１１ａ）により上部支持腕（７）の位置調節可能にねじ止めされている。
【００２４】
支持腕（８）に支持されたねじ棒（１１）の上端のナット（１１ａ）をねじ込むと上部支持腕（７）が図面下方に押し付けられ、上蓋（３）により上部円筒胴（１）（２）が下蓋（４）との間にクランプされる。
【００２５】
ねじ棒（１１）の上端が上部支持腕（７）を介して上蓋（３）を所定の間隔に保持すると共に、ねじ棒（１１）の上端がナットに代えて一体の回転摘み（１１ａ）が形成されている場合には、ねじ棒（１１）の下端が支持腕（８）に調節可能に螺合されものとして構成され、したがって、この場合、上部支持腕（７）に支持されたねじ棒（１１）の上端の摘み（１１ａ）を回すと、ねじ棒（１１）が支持腕（８）ねじ込まれ、同様に、上蓋（３）は図面下方に引き寄せられ、したがって、この場合も上蓋（３）により上部円筒胴（１）（２）が下蓋（４）との間にクランプされる。
【００２６】
その後、上蓋（３）の配水管（１２）と、下蓋（４）の配水管（１８）との間に、胴体（Ｄ）の外周軸方向に給配水管（１９）がユニオンナット等を用いて配管される。
【００２７】
なお、胴体（Ｄ）の組立において、他方の開口端部から、メッシュ網又はパンチングからなるメッシュ状の仕切板を挿入、濾過材を充填し、上部円筒胴（１）下部円筒胴（２）の内部に必要種類の濾材を必要段数順次組み立ておくことはもちろんである。また上蓋（３）内には、最後に施蓋した際に上部円筒胴（１）内の前記仕切板を抑える適宜の手段、例えばストッパースプリングを介在することがより好ましい。さらに、上部円筒胴（１）および／または下部円筒胴（２）に把手を備えることによって持ち運びを容易にすることも可能である。
【００２８】
制御弁装置（Ｖ）を搭載した上蓋（３）を持ち上げるため、先ず配水管（１２）、給配水管（１９）を接続するユニオンナットを緩めて両者の結合を解いた上で、４箇所のねじ棒（１１）を緩める。４箇所のねじ棒（１１）の上端の摘み又はねじ棒（１１）の上端に螺合したナット部材をねじ戻して上蓋（３）を１５ｍｍ程度持ち上げる。次いで、ねじ棒（１１）の１本のみを上部支持腕（７）及び下部支持腕（８）から外す。この場合、図３に示されるように、上部支持腕（７）下部支持腕（８）に形成された各切欠き孔（９ａ）（１０ａ）を通して行えば、簡単に外すことができる。
【００２９】
そこで、下蓋（４）の上に下部円筒胴（２）、上部円筒胴（１）、上蓋（３）を積み重ね、各重ね個所を固定している各締付けバンド（６）を順に外す。これによって、上方から順に上部円筒胴（１）を取り外して、上部円筒胴（１）内のカートリッジ（２２）及び／又は炉材の取り外し、次いで、下部円筒胴（２）を取り外して、下部円筒胴（２）内のカートリッジ及び／又は炉材の取り外し、修理、交換し、修復することができる。その際、必要に応じて、上蓋（３）の取り外し、制御弁装置の取り外して修理交換のメンテナンスも可能である。
【００３０】
このように本願発明によれば、簡単に着脱、組み立てが可能である。またストレーナー自体は、ストレーナー筒体にメッシュ状の仕切板やメッシュ網とパンチング（２２）等を挿入ビス止めし、濾過材等を充填、これを順次組み立て多段の濾過層を形成したカートリッジ式のユニット化した構造とすることができるので、蓋体を取り除いて、胴体（Ｄ）の一方開口端から一体として挿入、取り外しが可能であり、ストレーナーユニットとして交換等の作業を簡単・迅速に行うこともできる。
【００３１】
【発明の効果】
以上説明したように、従来のような、上蓋（３）と上部円筒胴（１）との連結は、１４ないし１８本のねじ止め箇所を備える構造ではなくしたため、ねじ解除作業に多大の時間・労力を必要とするようなことはないし、また、給配水管がカートリッジの中心を通す構造でないため、給配水管からカートリッジを抜き出さなければならない大変なカートリッジの交換作業も排除できる。
【００３２】
さらに具体的には、この出願の発明によれば、多数のねじを取り外す必要がなく、数本のねじ棒による上下円筒胴（１）（２）の締付け解除作業と、締付けバンドの取り外し作業で済み、また、カートリッジの取り外しも簡単に取り外された上下円筒胴（１）（２）から単に抜き取る作業にみで済むので、１回の交換作業を実施するため、一人が必要とする時間を２０分から３０分くらいで済ますことができ、これによって、簡単に濾材の交換が迅速にでき、メンテナンス作業が簡単で且つ効率的に実施できる縦型の浄活水器を提することができる。
【図面の簡単な説明】
【図１】この出願の発明に係る縦型浄活水器が組み立てられた状態を示す全体的概要図である。
【図２】図１の全体的概要図で示され縦型浄活水器を軸方向に９０度移動した方向、図面右側、からみた側面図である。
【図３】図１の縦型浄活水器を、各矢視線で示す位置から見た平面図であり、（ａ）は図１の矢視線Ａ−Ａからの平面図、（ｂ）は図１の矢視線Ｂ−Ｂからの平面図、（ｃ）は図１の矢視線Ｃ−Ｃからの平面図をそれぞれ示す。
【符合の簡単な説明】
１    上部円筒胴
２    下部円筒胴
３    上蓋
４    下蓋
５    外フランジ
６    締付けバンド
６ａ    締付け部
７    上部支持腕
８    下部支持腕
９、１０  ねじ挿通孔
９ａ、１０ａ  切欠き孔
１１    締付けねじ棒
１１ａ    摘み又はナット
１２    配水管
１３、１３ａ、１３ｂ；２３    操作ノブ  操作ノブ
１４、１４ａ、１４ｂ    配水口
１５    弁本体
１６    電動機
１７    操作・表示盤
１８    配水管
１９    給排水管
２０    ドレーン弁
２１    支持脚
２２    メッシュ網
２３    排水弁（排水弁の操作ノブ）
２４、２５  開口
Ｖ    制御弁装置
Ｄ    胴体
【図１】
2004306002.tif 000003
【図２】
2004306002.tif 000004
【図３】
2004306002.tif 000005